(57)【特許請求の範囲】
【請求項１】
ネットワークを介して、センサの検出情報をユーザ端末に配信する情報提供システムであって、
少なくとも一つ以上のグループに分類された少なくとも一つ以上のセンサと、センターサーバと、を備え、
前記センターサーバは、前記グループを識別するための第一のＩＤ、および、前記センサの構成を識別するため型式種別、に対応させて、前記センサで検出する値の誤差を特定する誤差情報を記憶する記憶部と、制御部と、を備え、
前記制御部は、
前記センサで検出された検出値を、検出した前記センサを識別するための第二のＩＤと、検出した前記センサが属するグループを識別する前記第一のＩＤと、検出した前記センサの構成を識別するための前記形式種別と、に対応させて検出情報として前記記憶部に記憶する処理と、
前記ユーザ端末より、前記第一のＩＤ及び前記第二のＩＤを含む取得要求を受信した際に、当該取得要求に含まれる前記第一のＩＤ及び前記第二のＩＤに対応する前記検出情報を取得し、取得した前記検出情報により前記形式種別を特定し、特定された前記形式種別及び当該取得要求に含まれる前記第一のＩＤに対応する誤差情報を取得し、取得した前記検出情報及び前記誤差情報を、前記ユーザ端末に提供する処理と、
を行うことを特徴とする情報提供システム。
【請求項２】
請求項1に記載の情報提供システムであって、
前記誤差情報は、前記センサで検出する値の誤差を、当該値が満たす条件毎に特定したものであって、
前記制御部は、前記ユーザ端末より、前記第一のＩＤ及び前記第二のＩＤを含む取得要求を受信した際に、当該取得要求に含まれる前記第一のＩＤ及び前記第二のＩＤに対応する前記検出情報を取得し、取得した前記検出情報により前記形式種別及び前記値を特定し、特定された前記形式種別、特定された前記値が満たす条件、および、当該取得要求に含まれる前記第一のＩＤに対応する誤差情報を取得し、取得した前記検出情報及び前記誤差情報を、前記ユーザ端末に提供する処理を行うこと、
を特徴とする情報提供システム。
【請求項３】
請求項１又は２に記載の情報提供システムであって、
ゲートウェイ装置をさらに備え、
前記ゲートウェイ装置は、
前記センサで検出された情報を前記検出情報として、前記センターサーバに送信すること、
を特徴とする情報提供システム。
【請求項４】
請求項３に記載の情報提供システムであって、
前記第一のＩＤは、前記ゲートウェイ装置毎に割り振られていること、
を特徴とする情報提供システム。
【請求項５】
請求項３または４に記載の情報提供システムであって、
前記ゲートウェイ装置は、自装置の位置情報を取得する位置検出情報取得部を備え、
前記位置情報取得部で取得された位置情報を、前記センターサーバに送信し、
前記センターサーバの制御部は、前記検知情報が検知されたセンサが接続されている前記ゲートウェイ装置の前記位置情報を、前記検知情報とともに、前記ユーザ端末に提供する処理を行うこと、
を特徴とする情報提供システム。
【請求項６】
請求項５に記載の情報提供システムであって、
前記記憶部には、前記位置検出情報取得部で取得する位置情報の誤差を特定する誤差情報が、記憶されており、
前記制御部は、前記位置情報とともに、前記位置情報誤差を特定する誤差情報も前記ユーザ端末に提供する処理を行うこと、
を特徴とする情報提供システム。
【請求項７】
請求項３に記載の情報提供システムであって、
前記ゲートウェイ装置は、
前記センサで検出された情報を記憶する記憶部を備え、
前記記憶部に記憶されるデータ量が所定のしきい値を超えた場合に、前記記憶部に記憶されている情報を検知情報として、前記センターサーバに送信すること、
を特徴とする情報提供システム。
【請求項８】
請求項７に記載の情報提供システムであって、
前記ゲートウェイ装置は、
緊急状態を検知するセンサで検知した情報については、前記記憶部に記憶せずに、前記センターサーバに送信すること、
を特徴とする情報提供システム。
【請求項９】
請求項１または２に記載の情報提供システムであって、
前記制御部は、
取得した前記検出情報及び前記誤差情報を前記ユーザ端末に提供する代わりに、前記検出情報を前記誤差情報で補正した値を前記ユーザ端末に送信する処理を行うこと、
を特徴とする情報提供システム。
【請求項１０】
ネットワークを介して、センサの検出情報をユーザ端末に配信するセンターサーバであって、
少なくとも一つ以上のセンサを含む少なくとも一つ以上のグループを識別するための第一のＩＤ、および、前記センサの構成を識別するため型式種別、に対応させて、前記センサで検出する値の誤差を特定する誤差情報を記憶する記憶部と、制御部と、を備え、
前記制御部は、
前記センサで検出された検出値を、検出した前記センサを識別するための第二のＩＤと、検出した前記センサが属するグループを識別する前記第一のＩＤと、検出した前記センサの構成を識別するための前記形式種別と、に対応させて検出情報として前記記憶部に記憶する処理と、
前記ユーザ端末より、前記第一のＩＤ及び前記第二のＩＤを含む取得要求を受信した際に、当該取得要求に含まれる前記第一のＩＤ及び前記第二のＩＤに対応する前記検出情報を取得し、取得した前記検出情報により前記形式種別を特定し、特定された前記形式種別及び当該取得要求に含まれる前記第一のＩＤに対応する誤差情報を取得し、取得した前記検出情報及び前記誤差情報を、前記ユーザ端末に提供する処理と、
を行うことを特徴とするセンターサーバ。
【請求項１１】
請求項1０に記載のセンターサーバであって、
前記誤差情報は、前記センサで検出する値の誤差を、当該値が満たす条件毎に特定したものであって、
前記制御部は、前記ユーザ端末より、前記第一のＩＤ及び前記第二のＩＤを含む取得要求を受信した際に、当該取得要求に含まれる前記第一のＩＤ及び前記第二のＩＤに対応する前記検出情報を取得し、取得した前記検出情報により前記形式種別及び前記値を特定し、特定された前記形式種別、特定された前記値が満たす条件、および、当該取得要求に含まれる前記第一のＩＤに対応する誤差情報を取得し、取得した前記検出情報及び前記誤差情報を、前記ユーザ端末に提供する処理を行うこと、
を特徴とするセンターサーバ。
【請求項１２】
請求項１０または１１に記載のセンターサーバであって、
前記制御部は、
取得した前記検出情報及び前記誤差情報を前記ユーザ端末に提供する代わりに、前記検出情報を前記誤差情報で補正した値を前記ユーザ端末に提供する処理を行うこと、
を特徴とするセンターサーバ。
【請求項１３】
コンピュータを、ネットワークを介して、センサの検出情報をユーザ端末に配信するセンターサーバとして機能させるプログラムであって、
前記コンピュータは、少なくとも一つ以上のセンサを含む少なくとも一つ以上のグループを識別するための第一のＩＤ、および、前記センサの構成を識別するため型式種別、に対応させて、前記センサで検出する値の誤差を特定する誤差情報を記憶する記憶手段と、制御手段と、を備え、
前記制御手段は、
前記センサで検出された検出値を、検出した前記センサを識別するための第二のＩＤと、検出した前記センサが属するグループを識別する前記第一のＩＤと、検出した前記センサの構成を識別するための前記形式種別と、に対応させて検出情報として前記記憶手段に記憶する処理と、
前記ユーザ端末より、前記第一のＩＤ及び前記第二のＩＤを含む取得要求を受信した際に、当該取得要求に含まれる前記第一のＩＤ及び前記第二のＩＤに対応する前記検出情報を取得し、取得した前記検出情報により前記形式種別を特定し、特定された前記形式種別及び当該取得要求に含まれる前記第一のＩＤに対応する誤差情報を取得し、取得した前記検出情報及び前記誤差情報を、前記ユーザ端末に提供する処理と、
を行うことを特徴とするプログラム。
【請求項１４】
請求項1３に記載のプログラムであって、
前記誤差情報は、前記センサで検出する値の誤差を、当該値が満たす条件毎に特定したものであって、
前記制御手段は、前記ユーザ端末より、前記第一のＩＤ及び前記第二のＩＤを含む取得要求を受信した際に、当該取得要求に含まれる前記第一のＩＤ及び前記第二のＩＤに対応する前記検出情報を取得し、取得した前記検出情報により前記形式種別及び前記値を特定し、特定された前記形式種別、特定された前記値が満たす条件、および、当該取得要求に含まれる前記第一のＩＤに対応する誤差情報を取得し、取得した前記検出情報及び前記誤差情報を、前記ユーザ端末に提供する処理を行うこと、
を特徴とするプログラム。
【請求項１５】
請求項１３または１４に記載のプログラムであって、
前記制御手段は、
取得した前記検出情報及び前記誤差情報を前記ユーザ端末に提供する代わりに、前記検出情報を前記誤差情報で補正した値を前記ユーザ端末に提供する処理を行うこと、
を特徴とするプログラム。
【請求項１６】
少なくとも一つ以上のグループに分類された少なくとも一つ以上のセンサと、センターサーバと、
前記グループを識別するための第一のＩＤ、および、前記センサの構成を識別するため型式種別、に対応させて、前記センサで検出する値の誤差を特定する誤差情報を記憶する記憶部と、制御部と、を備えるセンターサーバと、を備え、
ネットワークを介して、前記センサの検出情報をユーザ端末に配信する情報提供システムが行う情報提供方法であって、
前記制御部が、前記センサで検出された検出値を、検出した前記センサを識別するための第二のＩＤと、検出した前記センサが属するグループを識別する前記第一のＩＤと、検出した前記センサの構成を識別するための前記形式種別と、に対応させて検出情報として前記記憶部に記憶する処理を行う過程と、
前記制御部が、前記ユーザ端末より、前記第一のＩＤ及び前記第二のＩＤを含む取得要求を受信した際に、当該取得要求に含まれる前記第一のＩＤ及び前記第二のＩＤに対応する前記検出情報を取得し、取得した前記検出情報により前記形式種別を特定し、特定された前記形式種別及び当該取得要求に含まれる前記第一のＩＤに対応する誤差情報を取得し、取得した前記検出情報及び前記誤差情報を、前記ユーザ端末に提供する処理を行う過程と、
を備えること、
を特徴とする情報提供方法。
【発明の詳細な説明】
【技術分野】
【０００１】
本発明は、ネットワークを介して、各センサが検知する情報を収集し、ユーザに提供する技術に関する。
【背景技術】
【０００２】
従来、センサにより検知された情報を収集、解析して提供する技術としては、特許文献１に記載されるようなものが知られている。
【０００３】
特許文献１に記載された技術は、センサが検知した被監視者の行動をセンターサーバに送信して、生活行動パターンとしてデータ化し、それを基に異常な行動の判定を行う。被監視者の行動が異常と判定された場合には、監視者等に異常を通知して、さらに当該異常についての正誤判定結果を、生活行動パターンデータにフィードバックして、不適当な異常判定処理の実行を防ぐ。
【０００４】
【特許文献１】特開２００５−１７３６６８号公報
【発明の開示】
【発明が解決しようとする課題】
【０００５】
従来の技術においては、複数の異なるセンサが検知する情報を解析する際において、各センサの性能から生じる誤差等のデータ偏差については考慮しないため、正しい解析結果を導くことが出来ない場合がある。
【０００６】
そこで、本発明では、各センサが検知した情報に加えて、センサ毎に予め用意された誤差情報を配信し、より正確なデータを提供することを目的とする。
【課題を解決するための手段】
【０００７】
以上の課題を解決するため、本発明は、各センサが検出した情報に、当該センサにおける誤差を負荷して配信する。
【０００８】
例えば、本発明は、ネットワークを介して、センサの検出情報をユーザ端末に配信する情報提供システムであって、少なくとも一つ以上のグループに分類された少なくとも一つ以上のセンサと、センターサーバと、を備え、前記センターサーバは、前記グループを識別するための第一のＩＤ、および、前記センサの構成を識別するため型式種別、に対応させて、前記センサで検出する値の誤差を特定する誤差情報を記憶する記憶部と、制御部と、を備え、前記制御部は、前記センサで検出された検出値を、検出した前記センサを識別するための第二のＩＤと、検出した前記センサが属するグループを識別する前記第一のＩＤと、検出した前記センサの構成を識別するための前記形式種別と、に対応させて検出情報として前記記憶部に記憶する処理と、前記ユーザ端末より、前記第一のＩＤ及び前記第二のＩＤを含む取得要求を受信した際に、当該取得要求に含まれる前記第一のＩＤ及び前記第二のＩＤに対応する前記検出情報を取得し、取得した前記検出情報により前記形式種別を特定し、特定された前記形式種別及び当該取得要求に含まれる前記第一のＩＤに対応する誤差情報を取得し、取得した前記検出情報及び前記誤差情報を、前記ユーザ端末に提供する処理と、を行うことを特徴とする。
【発明の効果】
【０００９】
以上のように、本発明によれば、各センサが検知した情報に加えて、センサ毎に予め用意された誤差情報を配信することができるため、各センサが検知した情報をより正確に提供することができる。
【発明を実施するための最良の形態】
【００１０】
図１に、本発明の、情報提供システム１００の概略図を示す。
【００１１】
図示するように、情報提供システム１００は、１以上のサブシステム１４０ａ、１４０ｂ、１４０ｃ、１４０ｄ（これらを区別しない場合には、単に１４０と表記する）と、センターサーバ１１０と、Ｗｅｂサーバ１５０と、１以上のユーザ端末１３０と、を有する。これらはネットワーク１２０を介して相互に情報の送受信が可能に接続される。
【００１２】
最初に、サブシステム１４０の構成と処理について、図２〜図１１を参照しながら説明する。サブシステム１４０は、無線通信機能を備えるセンサ装置や、センサ機能を有する端末や、ゲートウェイ装置３００に備えられるセンサデバイス等（以下、まとめてセンサ装置２００とする）と、ゲートウェイ装置、あるいは、ゲートウェイ機能を有する装置（以下、まとめてゲートウェイ装置３００とする）と、から構成されている。
【００１３】
サブシステム１４０には、少なくとも一つ以上のセンサ装置をグループとしてまとめて管理するためのサブシステムＩＤ（ＳＳ−ＩＤ）が付与されている。
【００１４】
ここで、本実施形態においては、このようなサブシステムＩＤをゲートウェイ装置３００毎に付与しているが、このような態様に限定されるわけではなく、複数のゲートウェイ装置３００に同じサブシステムＩＤを付与することも可能である。
【００１５】
なお、後述するノードＩＤについては、一つのサブシステムＩＤ内において一意の識別情報となるようにすることで、他のサブシステムＩＤが付与されているシステムの状況については考慮せずにセンサ装置を管理することができるようになる。
【００１６】
さらに、各ゲートウェイ装置３００には、同様のサブシステム群からなるゲートウェイ装置の個体を識別するために、個体識別子であるゲートウェイＩＤ（ＧＷ−ＩＤ）が付与されている。例えば、サブシステム１４０ａを構成するゲートウェイ装置３００ａでは、ＧＷ−ＩＤ＝０２１１が付与されている。
【００１７】
センサ装置２００についても同様に、センサ装置の個体を識別するための個体識別子であるノードＩＤ（Ｎｏｄｅ−ＩＤ）が、それぞれ付与されている。例えば、サブシステム１４０ａを構成するセンサ装置２００ａでは、Ｎｏｄｅ−ＩＤ＝１５９５８３が付与されている。
【００１８】
サブシステム１４０ａについて、図２〜図８、図１９を参照して説明する。図２は、サブシステム１４０ａの概略図である。サブシステム１４０ａは、無線ネットワーク機能を有するセンサ装置２００ａと、ゲートウェイ装置３００ａと、から構成されている。
【００１９】
センサ装置２００ａは、制御部２０１ａと、記憶部２０２ａと、センサ部２０３ａと、通信部２０４ａと、を有する。
【００２０】
記憶部２０２ａは、センサ情報記憶領域２２１ａと、プロパティ記憶領域２２２ａと、を備えている。
【００２１】
センサ情報記憶領域２２１ａには、センサ装置２００ａの属性に関する情報が格納される。
【００２２】
例えば、本実施形態では、ノードＩＤを特定する情報と、センサ部２０３ａの各センサに関する情報、例えば、センサ装置２００ａの、各センサの種別を特定する情報や、メーカ型式を特定する情報と、が予め格納されている。
【００２３】
プロパティ記憶領域２２２ａには、プロパティ取得部２１１ａにより取得した、センサ部２０３ａの備える各センサが検知した検知信号を特定する情報が格納される。
【００２４】
制御部２０１ａは、プロパティ取得部２１１ａと、検知情報生成部２１２ａと、を有する。
【００２５】
プロパティ取得部２１１ａは、後述するセンサ部２０３ａの備える各センサから検知信号を取得すると、プロパティ記憶領域２２２ａに格納する。そして、後述する検知情報生成部２１２ａに、格納された検知信号について、検知情報２６０ａの生成を要求する。
【００２６】
なお、検知信号の格納処理については、予め定められた周期毎に行ってもよく、また、後述する緊急センサ２３２ａのような、状態変化の有無を判定するセンサの場合には、当該変化が生じた場合に限り、取得処理が実行されても良い。さらに、後述する温度センサ２３１ａのような、数値変動を検知するセンサの場合には、検知信号の変化に閾値を設けて、それを超過した場合にのみ、取得処理が実行されるような構成としても良い。
【００２７】
検知情報生成部２１２ａは、図３（a）（サブシステム１４０ａにおける、検知情報２６０ａの概略図）に示すような、検知情報２６０ａを生成する。そして、ゲートウェイ装置３００ａへ、通信部２０４ａから無線によって、当該検知情報２６０ａを送信する。
【００２８】
図３（a）に示されているように、検知情報２６０ａは、Ｎｏｄｅ−ＩＤ格納領域２６１と、センサ種別格納領域２６２と、メーカ型式格納領域２６３と、センサ状態格納領域２６４と、を備える。
【００２９】
Ｎｏｄｅ−ＩＤ格納領域２６１には、センサ装置２００ａの個体を特定するための個体識別子であるノードＩＤ（ここでは、センサ装置２００ａに付与されるノードＩＤは、Ｎｏｄｅ−ＩＤ＝１５９５８３とする）が格納される。
【００３０】
ここで、ノードＩＤについては、記憶部２０２ａのセンサ情報記憶領域２２１ａから取得して本欄に格納する。
【００３１】
センサ種別格納領域２６２には、センサ部２０３ａの有する各センサの種別情報が格納される。なお、各センサの種別情報については、記憶部２０２ａのセンサ情報記憶領域２２１ａから取得する。
【００３２】
メーカ型式格納領域２６３には、センサ部２０３ａの有する各センサのメーカ型式情報が格納される。なお、各センサのメーカ形式情報については、記憶部２０２ａのセンサ情報記憶領域２２１ａから取得する。
【００３３】
センサ状態格納領域２６４には、プロパティ記憶領域２２２ａから取得した、検知信号が格納される。この値は例えば、数値変動を検知する温度センサ２３１ａによる検知信号であったときには、検知された温度の数値が、状態変化を判断する緊急センサ２３２ａによる検知信号であったときには、緊急状態の有無に関する情報が、それぞれ格納される。
【００３４】
検知情報生成部２１２ａの処理について、具体的に説明する。検知情報生成部２１２ａは、プロパティ取得部２１１ａから検知情報２６０ａの生成要求を受け付けると、プロパティ記憶領域２２２ａから、検知信号を取得し、センサ状態格納領域２６４に格納する。そして、当該検知信号を検知したセンサを判定し、センサ情報記憶領域２２１ａから、当該センサに関する情報を取得して、センサ種別格納領域２６２と、メーカ型式格納領域２６３とに、格納する。次に、センサ情報記憶領域２２１ａから、センサ装置２００ａのノードＩＤを取得して、Ｎｏｄｅ−ＩＤ格納領域２６１に格納する。以上の処理によって生成した検知情報２６０ａを、通信部２０４ａを介し、無線（例えば、電磁波等）を用いてゲートウェイ装置３００ａへ送信する処理を実行する。
【００３５】
センサ部２０３ａは、温度センサ２３１ａと、緊急センサ２３２ａと、加速度センサ２３３ａと、人検知センサ２３４ａと、を備える。
【００３６】
温度センサ２３１ａは、例えば、温度を数値によって検知する。緊急センサ２３２ａは、例えば、建造物のセキュリティシステム等に使用され、ここでは、緊急状態の有無を検知する。加速度センサ２３３ａは、例えば、自動車のエアバッグ等に使用され、物体の加速度を、数値によって検知する。人検知センサ２３４ａは、例えば、赤外線などを利用して、周囲温度と温度差のあるものが、検知エリア内で動作することにより生ずる温度変化の有無等を検知する。
【００３７】
なお、センサ部２０３ａの備えるセンサは上述のものに限られない。例えば、ＲＦＩＤタグ等から電波や電磁波を検知するものや、磁気カード等に接触して当該磁気カード等からデータを読み出すもの等をセンサとして使用することができる。
【００３８】
さらに、どのようなセンサであっても、緊急センサとして設定することができる。従って、後述する緊急センサの検知情報を受信した際の特別な処理により、ユーザは迅速にその情報を入手することが可能となる。
【００３９】
通信部２０４ａは、前記ゲートウェイ装置３００ａとの間を、無線によって情報の送受信可能に接続する。
【００４０】
なお、このようなセンサ装置２００ａは、例えば、図２０に示すようなコンピュータ７００によりセンサを制御することで実現可能である。
【００４１】
コンピュータ７００は、ハードディスク等の補助記憶装置７０３と、メインメモリ７０２と、ＣＰＵ（Central Processing Unit）７０１と、ＮＩＣ（Network Interface Card）７０４等の通信装置と、これらを接続するバス７０５と、を備えており、制御部２０１ａは、補助記憶装置７０３に記憶されている所定のプログラムを、メインメモリ７０２に読み込みＣＰＵ７０１で実行することにより実現可能であり、通信部２０４ａは、ＮＩＣ７０４により実現可能である。
【００４２】
図２に戻って、ゲートウェイ装置３００ａは、制御部３０１ａと、記憶部３０２ａと、ＧＰＳ受信部３０３ａと、通信部３０４ａと、を備えている。
【００４３】
記憶部３０２ａは、設定情報記憶領域３２１ａと、パケット記憶領域３２２ａと、を備えている。
【００４４】
設定情報記憶領域３２１ａは、ゲートウェイ装置３００ａに関する設定情報が予め格納されている。設定情報としては、ゲートウェイ装置３００ａが設置された際のゲートウェイ装置３００ａの位置情報と、予め付与されたゲートウェイ装置３００ａの個体識別子である、ゲートウェイＩＤ（ここでは、ゲートウェイ装置３００ａに付与されるゲートウェイＩＤは、ＧＷ−ＩＤ＝０２１１とする）と、ＧＰＳ受信部３０３ａに備えられる、ＧＰＳセンサ（図示しない）の種別を特定する情報と、メーカ型式を特定する情報と、が少なくとも格納される。
【００４５】
パケット記憶領域３２２ａには、図７に示されるように、パケット生成部３１１ａが、通信部３０４ａを介して受信する検知情報２６０ａに基づいて生成するパケットデータ４００ｆが格納される。
【００４６】
制御部３０１ａは、パケット生成部３１１ａと、メッセージ生成部３１２ａと、を備える。
【００４７】
パケット生成部３１１ａは、通信部３０４ａを介し度、経度）と現在の時刻とを特定するＧＰＳ信号を取得して、取得したＧＰＳ信号からパケットデータ４００ｅ（これらを区別しない場合には、単に４００と表記する）を生成する。  
【００４８】
そして、パケット生成部３１１ａは、メッセージ生成部３１２ａに対して、パケットデータ４００て、センサ装置２００ａより送信された検知情報２６０ａを受信し、受信した検知情報２６０ａからパケットデータ４００ｆを生成して、記憶部３０２ａのパケット記憶領域３２２ａに格納する。  
【００４９】
また、パケット生成部３１１ａは、ＧＰＳ受信部３０３ａを介して、現在の位置（緯ｆ、または、パケットデータ４００ｅに基づいて、メッセージ３６０を生成するよう要求する。
【００５０】
メッセージ生成部３１２ａは、パケット生成部３１１ａの要求を受け付けると、生成されたパケットデータ４００ｆ、または、パケットデータ４００ｅに基づくメッセージ３６０を生成し、ネットワーク１２０を介して、センターサーバ１１０へと送信する。
【００５１】
ＧＰＳ受信部３０３ａは、衛星からの電波に基づいて現在地を測位し、位置情報を取得する。
【００５２】
通信部３０４ａは、センサ装置２００ａとの間で無線を介して情報の送受信を行う無線通信部と、さらに、ネットワーク１２０を介して情報の送受信を行う有線通信部と、を有する。
【００５３】
ここで、前記パケット生成部３１１ａが、ＧＰＳ信号を取得する場合の具体的な処理について、図４（ゲートウェイ装置３００ａにおいて、ＧＰＳ信号からメッセージを生成する際の処理を示すフローチャート）と、図１９（Ｓ２００１）を参照しながら説明する。この処理は、ゲートウェイ装置３００ａが設置された際に、ゲートウェイ装置３００ａに関する情報、例えば、ゲートウェイＩＤや、位置情報を、センターサーバ１１０に蓄積するために実行される。また、ゲートウェイ装置３００ａの有する時計（図示しない）を時刻同期するために、予め定められた周期毎に実行しても良い。
【００５４】
パケット生成部３１１ａは、ＧＰＳ受信部３０３ａを介して、現在の位置（緯度、経度）と、現在の時刻と、を特定するＧＰＳ信号を取得する（Ｓ１５０１）。ＧＰＳ信号の取得に成功した場合には、ステップ１５０４へ進み、取得に失敗した場合には、ステップ１５０２へ進む。
【００５５】
ＧＰＳ信号の取得に成功した場合には、パケット生成部３１１ａは、ゲートウェイ装置３００ａに備えられる時計を、取得した現在時刻に同期させる（Ｓ１５０４）。一方、ＧＰＳ信号の取得に失敗した場合には、設定情報記憶領域３２１ａから、予め記憶された、ゲートウェイ装置３００ａが設置された際の位置情報を読み込む（Ｓ１５０２）。次に、通信部３０４ａを介して、センターサーバ１１０から、現在時刻を特定する情報を取得して（Ｓ１５０３）、ゲートウェイ装置３００ａに備えられる時計を、取得した現在時刻に同期させる（Ｓ１５０４）。
【００５６】
その後、パケット生成部３１１ａは、取得された位置情報と、現在時刻とから、パケットデータ４００ｅを生成して（Ｓ１５０５）、メッセージ生成部３１２ａに、パケットデータ４００ｅに基づくメッセージ３６０の生成を要求する。
【００５７】
メッセージ生成部３１２ａは、パケット生成部３１１ａから、メッセージ３６０の生成要求を受け付けると、パケットデータ４００ｅに基づいて、図５に示すようなメッセージ３６０を生成する。そして、生成されたメッセージ３６０を、ネットワーク１２０を介して、センターサーバ１１０へ送信し、処理を終了する（Ｓ１５０６）。
【００５８】
ここで、パケットデータ４００ｅの生成（Ｓ１５０５）について、具体的に説明する。図６は、メッセージ３６０に含まれる、コンテント部３８０の概略図、図７（ａ）は、コンテント部３８０のデータ部４１０（図６参照）に含まれる、パケットデータ４００ｅの概略図である。
【００５９】
パケット生成部３１１ａは、位置情報と、現在時刻情報と、を取得すると、図７（ａ）に示すような、パケット型がタイプ１のパケットデータ４００ｅを生成する。パケットデータ４００ｅは、時刻格納領域４０１ｅと、ＧＷ−ＩＤ格納領域４０２ｅと、センサ種別格納領域４０３ｅと、メーカ型式格納領域４０４ｅと、センサ状態格納領域４０５ｅと、を備える。
【００６０】
まず、パケット生成部３１１ａは、時刻格納領域４０１ｅに、ゲートウェイ装置３００ａが備える時計から現在時刻を取得して、格納する。次に、ＧＰＳ情報の取得が成功した場合には取得した現在の位置情報を、取得に失敗した場合には記憶部３０２ａの設定情報記憶領域３２１ａに予め格納される、ゲートウェイ装置３００ａを設置した際の位置情報を取得して、センサ状態格納領域４０５ｅに格納する。
【００６１】
さらに、記憶部３０２ａの設定情報記憶領域３２１ａから、ゲートウェイＩＤと、センサ種別に関する情報と、メーカ型式に関する情報と、を取得して、ＧＷ−ＩＤ格納領域４０２ｅと、センサ種別格納領域４０３ｅと、メーカ型式格納領域４０４ｅと、にそれぞれ格納する。
【００６２】
次に、メッセージ３６０の生成（Ｓ１５０６）について、具体的に説明する。図５は、メッセージ３６０の概略図である。
【００６３】
メッセージ生成部３１２ａは、パケット生成部３１１ａから、メッセージ３６０の生成要求を受け付けると、図５に示すような、メッセージ３６０を生成する。
【００６４】
メッセージ３６０は、ヘッダ部３７０と、コンテント部３８０と、を備える。ヘッダ部３７０は、コンテント部３８０のサイズを特定する情報を格納するサイズ格納領域３７１と、コンテント部３８０のデータ形式を特定する情報を格納するデータ形式格納領域３７２と、ヘッダ部３７０とコンテント部３８０とを分離するための情報を格納するセパレータ格納領域３７３と、を備えている。
【００６５】
コンテント部３８０は、図６に示すように、パケットヘッダ部３９０と、データ部４１０と、を備えている。パケットヘッダ部３９０は、パケットの数情報を格納する、パケット数格納領域３９１と、パケット型情報を格納する、パケット型格納領域３９２と、ゲートウェイ装置の識別子情報を格納する、ＧＷ−ＩＤ格納領域３９３と、から構成される。データ部４１０には、パケットデータ４００が格納される。
【００６６】
まず、メッセージ生成部３１２ａによる、コンテント部３８０の生成について説明する。メッセージ生成部３１２ａは、パケット生成部３１１ａにより生成された、パケットデータ４００ｅを取得して、データ部４１０へ格納する。次に、パケットデータ４００ｅのパケット数と、パケット型と、を検出して、パケット数格納領域３９１と、パケット型格納領域３９２と、にそれぞれ格納する。その後、記憶部３０２ａの設定情報記憶領域３２１ａに予め記憶されるゲートウェイＩＤを取得して、ＧＷ−ＩＤ格納領域３９３に格納し、コンテント部３８０を生成する。
【００６７】
なお、本実施形態においては、ゲートウェイ装置３００の設置に関する情報を送信するためのパケットデータのパケット型をタイプ１、センサ装置２００の各センサから送信された検知情報に基づくパケットデータのパケット型はタイプ２、緊急センサの検知情報に基づくパケットデータのパケット型は、タイプ３とする（以下、同じ）。
【００６８】
次に、メッセージ生成部３１２ａによる、ヘッダ部３７０の生成について説明する。メッセージ生成部３１２ａは、まず、コンテント部３８０のサイズを検出し、サイズ格納領域３７１に格納する。続いて、コンテント部３８０のデータ形式を検出して、データ形式格納領域３７２に格納する。さらに、セパレータ格納領域３７３に、ヘッダ部３７０とコンテント部３８０とを分離するための情報を格納して、ヘッダ部３７０を生成する。その後、生成したヘッダ部３７０を、コンテント部３８０に付与して、メッセージ３６０の生成処理を終了する。
【００６９】
パケット生成部３１１ａが、センサ装置２００ａから送信される検知情報２６０ａを受信する場合の処理について、図８（ゲートウェイ装置３００ａにおいて、各センサからの検知情報２６０ａからメッセージ３６０を生成する際の処理を示すフローチャート）を参照しながら説明する。
【００７０】
パケット生成部３１１ａは、通信部３０４ａを介して、センサ装置２００ａより送信される検知情報２６０ａを受信する（Ｓ１５１１）。そして、検知情報２６０ａに基づいて、図７（ｂ）、図７（ｃ）に示すような、パケットデータ４００ｆを生成する（Ｓ１５１２）。
【００７１】
次に、パケット生成部３１１ａは、パケットデータ４００ｆに含まれる情報の中から、センサ種別を検出し、緊急センサ２３２ａを示すものであるか否かを判断する（Ｓ１５１３）。
【００７２】
ここで、パケットデータ４００ｆが、緊急センサ２３２ａの検知情報２６０ａに基づいて生成されたもの、すなわち、後述するセンサ種別格納領域４０３ｆに格納された情報が、緊急センサを示すものであった場合には、メッセージ生成部３１２ａに、パケットデータ４００ｆに基づいたメッセージ３６０の生成を要求し、ステップ１５１４へ進む。
【００７３】
一方、パケットデータ４００ｆが、緊急センサ２３２ａ以外の検知情報２６０ａに基づいて生成されたもの、すなわち、後述するセンサ種別格納領域４０３ｆに格納された情報が、温度センサ２３１ａ、加速度センサ２３３ａ、または、人検知センサ２３４ａのうちの１つを示すものであった場合には、ステップ１５１６へ進む。
【００７４】
パケット生成部３１１ａは、センサ種別格納領域４０３ｆに格納される情報が、緊急センサ以外を示すものであった場合には、パケット記憶領域３２２ａの空き容量を検出する（Ｓ１５１６）。パケット記憶領域３２２ａの空き容量が、予め定められたしきい値以上である場合には、パケット記憶領域３２２ａにパケットデータ４００ｆを格納し、処理を終了する（Ｓ１５１８）。なお、パケット記憶領域３２２ａに、既に蓄積されたパケットデータ４００ｆが１つまたはそれ以上存在する場合には、既に蓄積されたパケットデータに最新のパケットデータ４００ｆを結合し、パケット記憶領域３２２ａの記憶情報を更新する。
【００７５】
一方、パケット生成部３１１ａは、パケット記憶領域３２２ａに既にパケットデータ４００ｆが蓄積され、空き容量が予め定められたしきい値以下である場合には、蓄積された１つまたはそれ以上のパケットデータ４００ｆを取得して、最新のパケットデータ４００ｆを結合し、連続するパケットデータ群を生成する（Ｓ１５１７）。さらに、メッセージ生成部３１２ａに、パケットデータ群に基づくメッセージ３６０の生成を要求し、ステップ１５１４へ進む。
【００７６】
メッセージ生成部３１２ａは、パケット生成部３１１ａから、メッセージ３６０の生成要求を受け付けると、パケットデータ４００ｆ、または、パケットデータ群に基づいて、メッセージ３６０を生成する（Ｓ１５１４）。さらに、生成されたメッセージ３６０を、ネットワーク１２０を介して、センターサーバ１１０へ送信する（Ｓ１５１５）。
【００７７】
パケットデータ４００ｆの生成（Ｓ１３１２）について、図７（ｂ）、図７（ｃ）を参照しながら、具体的に説明する。
【００７８】
パケット生成部３１１ａは、通信部３０４ａを介して、検知情報２６０ａを受信すると、図７（ｂ）に示すパケット型がタイプ２、または、図７（ｃ）に示すタイプ３のパケットデータ４００ｆを生成する。
【００７９】
パケットデータ４００ｆは、パケットデータ４００ｅと同様に、時刻格納領域４０１ｆと、センサ種別格納領域４０３ｆと、メーカ型式格納領域４０４ｆと、センサ状態格納領域４０５ｆと、を備え、ＧＷ−ＩＤ格納領域４０２ｅに変わって、センサ装置の個体識別子であるノードＩＤを格納するための、Ｎｏｄｅ−ＩＤ格納領域４０２ｆを備える。
【００８０】
まず、パケット生成部３１１ａは、時刻格納領域４０１ｆに、ゲートウェイ装置３００ａが備える時計から、現在時刻を取得して、格納する。次に、検知情報２６０ａのＮｏｄｅ−ＩＤ格納領域２６１と、センサ種別格納領域２６２と、メーカ型式格納領域２６３と、センサ状態格納領域２６４と、に格納される情報を取得し、Ｎｏｄｅ−ＩＤ格納領域４０２ｆと、センサ種別格納領域４０３ｆと、メーカ型式格納領域４０４ｆと、センサ状態格納領域４０５ｆと、にそれぞれ格納する。
【００８１】
メッセージ３６０の生成（Ｓ１５１４）について、具体的に説明する。メッセージ３６０の構成については、上述したものと同様であるので、説明を省略する。
【００８２】
メッセージ生成部３１２ａは、パケット生成部３１１ａから、メッセージ３６０の生成要求を受け付けると、パケット生成部３１１ａにより生成されたパケットデータ４００ｆ、または、パケットデータ４００ｆ群を取得し、データ部４１０へ格納する。次に、パケット生成部３１１ａにより生成されたパケットデータ４００ｆ、または、パケットデータ４００ｆ群のパケット数と、パケット型（ここでは、タイプ２またはタイプ３）と、を検出して、パケット数格納領域３９１と、パケット型格納領域３９２と、にそれぞれ格納する。その後、記憶部３０２ａの設定情報記憶領域３２１ａに格納されるゲートウェイＩＤを取得して、ＧＷ−ＩＤ格納領域３９３に格納し、コンテント部を生成する。
【００８３】
その後、メッセージ生成部３１２ａは、ヘッダ部３７０を生成してコンテント部に付与するが、この処理は、上述のものと同様であるので、省略する。
【００８４】
なお、このようなゲートウェイ装置３００ａは、例えば、図２０に示すようなコンピュータ７００により制御することで実現可能である。制御部３０１ａは、補助記憶装置７０３に記憶されている所定のプログラムを、メインメモリ７０２に読み込みＣＰＵ７０１で実行可能であり、通信部３０４ａは、無線通信装置（図示せず）とＮＩＣ７０４により実現可能である。
【００８５】
サブシステム１４０ｂの構成と処理について説明する。図９は、サブシステム１４０ｂの概略図である。
【００８６】
サブシステム１４０ｂは、ＧＰＳ受信機能を備え、位置情報を検知するセンサとして機能する携帯電話端末２００ｂと、携帯電話端末２００ｂと無線を用いて交信する携帯電話基地局２０５ｂと、携帯電話用のゲートウェイ装置３００ｂと、を備えている。そして、携帯電話基地局２０５ｂと、ゲートウェイ装置３００ｂとは、ネットワーク２２０ｂによって接続されている。また、サブシステム１４０ｂに付与されるサブシステムＩＤは、ＳＳ−ＩＤ＝２とする。
【００８７】
携帯電話端末２００ｂは、制御部２０１ｂと、記憶部２０２ｂと、ＧＰＳ受信部２０３ｂと、通信部２０４ｂと、を有する。
【００８８】
記憶部２０２ｂは、端末情報記憶領域２２１ｂと、ＧＰＳ信号記憶領域２２２ｂを備えている。
【００８９】
端末情報記憶領域２２１ｂには、少なくとも、ＧＰＳ受信部２０３ｂの有するＧＰＳ受信デバイスの属性に関する情報と、携帯電話端末２００ｂの属性に関する情報が、予め格納されている。例えば、前者は、ＧＰＳセンサの種別を特定する情報や、メーカ型式を特定する情報、後者は、携帯電話端末２００ｂの個体識別子である、ノードＩＤ情報等である。ここでは、携帯電話端末２００ｂのノードＩＤは、Ｎｏｄｅ−ＩＤ＝２４８５６が付与されていることとする。
【００９０】
ＧＰＳ信号記憶領域２２２ｂには、ＧＰＳ信号取得部２１１ｂが、ＧＰＳ受信部２０３ｂを介して取得した、ＧＰＳ信号を特定する情報が格納される。
【００９１】
制御部２０１ｂは、ＧＰＳ信号取得部２１１ｂと、信号情報生成部２１２ｂと、を備えている。
【００９２】
ＧＰＳ信号取得部２１１ｂは、ＧＰＳ受信部２０３ｂを介して、現在の位置（緯度、経度）と、現在の時刻と、を特定するＧＰＳ信号を取得して、記憶部２０２ｂに格納する。そして、信号情報生成部２１２ｂに、格納されたＧＰＳ信号に基づく信号情報２６０ｂの生成を要求する。
【００９３】
信号情報生成部２１２ｂは、ＧＰＳ信号取得部２１１ｂからの要求を受け付けると、図３（ｂ）（サブシステム１４０ｂにおける、信号情報２６０ｂの概略図）に示すような、信号情報２６０ｂを生成する。そして、当該信号情報２６０ｂを、携帯電話基地局２０５ｂへ送信する。
【００９４】
ＧＰＳ受信部２０３ｂは、衛星からの電波に基づいて現在地を測位し、位置情報を取得する。
【００９５】
通信部２０４ｂは、携帯電話の基地局２０５ｂとの間を、所定周波数帯において無線により情報の送受信可能に接続する。
【００９６】
図３（ｂ）に示されているように、信号情報２６０ｂは、時刻格納領域２６５と、Ｎｏｄｅ−ＩＤ格納領域２６１と、センサ種別格納領域２６２と、メーカ型式格納領域２６３と、センサ状態格納領域２６４と、を備える。これらは、検知情報２６０ａとほぼ同様の構成をしているため、詳細な説明は省略する。
【００９７】
ＧＰＳ信号取得部２１１ｂは、ＧＰＳ受信部２０３ｂを介して、予め定められた周期毎に、または、ユーザの要求に応じて、現在の位置（緯度、経度）と、現在の時刻と、を特定するＧＰＳ信号を取得して、記憶部２０２ｂのＧＰＳ信号記憶領域２２２ｂに格納する。この際に、携帯電話端末２００ｂに備えられる時計（図示しない）を、取得した現在時刻に同期させる処理を実行する。そして、信号情報生成部２１２ｂに、格納されたＧＰＳ信号についての信号情報２６０ｂの生成を要求する。
【００９８】
信号情報生成部２１２ｂは、ＧＰＳ信号取得部２１１ｂから信号情報２６０ｂの生成要求を受け付けると、ＧＰＳ信号記憶領域２２２ｂから、位置情報を取得し、センサ状態格納領域２６４へ格納する。
【００９９】
そして、信号情報生成部２１２ｂは、端末情報記憶領域２２１ｂから、当該ＧＰＳ信号を検知したＧＰＳ受信デバイスの、ＧＰＳセンサの種別を特定する情報と、メーカ型式を特定する情報と、携帯電話端末２００ｂのノードＩＤ情報と、を取得して、センサ種別格納領域２６２と、メーカ型式格納領域２６３と、Ｎｏｄｅ−ＩＤ格納領域２６１と、に格納する。
【０１００】
また、信号情報生成部２１２ｂは、ＧＰＳ信号取得部２１１ｂによって、既に時刻同期処理を実行された、携帯電話端末２００ｂに備えられる時計から、現在時刻を取得して、時刻格納領域２６５に格納する。
【０１０１】
さらに、信号情報生成部２１２ｂは、以上の処理によって生成した信号情報２６０ｂを、通信部２０４ｂを介し、無線を用いて携帯電話基地局２０５ｂへ送信する処理を実行する。
【０１０２】
図９に戻って、ゲートウェイ装置３００ｂは、制御部３０１ｂと、記憶部３０２ｂと、通信部３０４ｂと、を備えている。
【０１０３】
記憶部３０２ｂは、設定情報記憶領域３２１ｂとパケット記憶領域３２２ｂと、を備えている。
【０１０４】
設定情報記憶領域３２１ｂは、ゲートウェイ装置３００ｂに関する設定情報が予め格納されている。設定情報としては、ゲートウェイ装置３００ｂの位置情報と、ゲートウェイ装置３００ｃの識別子である、ＧＷ−ＩＤ情報と、が少なくとも格納される。なお、ゲートウェイ装置３００ｂのゲートウェイＩＤは、ＧＷ−ＩＤ＝０８１１が付与されていることとする。
【０１０５】
パケット記憶領域３２２ｂには、パケット生成部３１１ｂが、通信部３０４ｂを介して取得する信号情報２６０ｂに基づいて生成される、パケットデータ４００ｆが格納される。
【０１０６】
制御部３０１ｂは、パケット生成部３１１ｂと、メッセージ生成部３１２ｂと、を有する。
【０１０７】
パケット生成部３１１ｂは、通信部３０４ｂを介して、携帯電話端末２００ｂより信号情報２６０ｂを受信し、受信した信号情報２６０ｂからパケットデータ４００ｆを生成して、記憶部３０２ｂのパケット記憶領域３２２ｂに格納する。
【０１０８】
そして、パケット生成部３１１ｂは、メッセージ生成部３１２ｂに対して、パケットデータ４００ｆに基づいて、メッセージ３６０を生成するよう要求する。
【０１０９】
メッセージ生成部３１２ｂは、パケット生成部３１１ｂの要求を受け付けると、パケットデータ４００ｆに基づいて、信号情報２６０ｂに基づいたメッセージ３６０を生成して、ネットワーク１２０を介して、センターサーバ１１０へと送信する。
【０１１０】
なお、ゲートウェイ装置３００ｂの実行する処理は、上述のゲートウェイ装置３００ａの情報生成部が、センサ装置２００ａから送信される検知情報２６０ａを受信する場合の処理（図８参照）とほぼ同様であるため、説明を省略ないし簡略化する。
【０１１１】
パケット生成部３１１ｂは、携帯電話端末２００ｂから、携帯電話基地局２０５ｂを経て、ネットワーク２２０ｂを介して送信された、信号情報２６０ｂを受け付けると、図７（ｂ）に示すような、パケットデータ４００ｆを生成する。
【０１１２】
パケットデータ４００ｆは、信号情報２６０ｂと同様の構成をしており、パケット生成部３１１ｂは、それぞれの格納領域に格納される情報をコピーし、パケットデータ４００ｆを生成する。
【０１１３】
次に、パケット生成部３１１ｂは、パケット記憶領域３２２ｂの空き容量を検出する。パケット記憶領域３２２ｂの空き容量が、予め定められたしきい値以上である場合は、パケット記憶領域３２２ｂにパケットデータ４００ｆを格納し、処理を終了する。なお、パケット記憶領域３２２ｂに、既に蓄積されたパケットデータ４００ｆが１つまたはそれ以上存在する場合には、既に蓄積されたパケットデータに、最新のパケットデータ４００ｆを結合し、パケット記憶領域３２２ｂの記憶情報を更新する。
【０１１４】
一方、パケット生成部３１１ｂは、パケット記憶領域３２２ｂに既にパケットデータ４００ｆが蓄積され、空き容量が予め定められたしきい値以下である場合には、蓄積された１つ、またはそれ以上のパケットデータ４００ｆを取得して、最新のパケットデータ４００ｆを結合し、連続するパケットデータ群を生成する。
【０１１５】
さらに、パケット生成部３１１ｂは、メッセージ生成部３１２ｂに、パケットデータ群に基づくメッセージ３６０の生成を要求する。
【０１１６】
メッセージ生成部３１２ｂは、パケット生成部３１１ｂから、メッセージ３６０の生成要求を受け付けると、パケットデータ４００ｆ群に基づいて、メッセージ３６０を生成する。さらに、生成されたメッセージ３６０を、ネットワーク１２０を介して、センターサーバ１１０へ送信する。
【０１１７】
なお、メッセージ３６０の生成処理については、ゲートウェイ装置３００aと同様であるので、詳細な説明は省略する。
【０１１８】
サブシステム１４０ｃの構成と処理について説明する。図１０は、サブシステム１４０ｃの概略図である。
【０１１９】
サブシステム１４０ｃは、ＧＰＳ受信機能を備え、センサとして機能する、ＰＨＳ端末２００ｃと無線を用いて交信するＰＨＳ基地局２０５ｃと、ＰＨＳ電話用のゲートウェイ装置３００ｃと、を備えている。そして、ＰＨＳ基地局２０５ｃと、ゲートウェイ装置３００ｃとは、ネットワーク２２０ｃによって接続されている。
【０１２０】
サブシステム１４０ｃの構成とその処理は、サブシステム１４０ｂと同様であるので、詳細な説明を省略する。
【０１２１】
サブシステム１４０ｄの構成と処理について説明する。図１１は、サブシステム１４０ｄの概略図である。
【０１２２】
サブシステム１４０ｄは、ゲートウェイ機能と、複数のセンサデバイスと、を有する無線ネットワークアダプタ３００ｄと、無線ネットワークアダプタ３００ｄと無線を用いて交信し、ネットワーク１２０と情報の送受信可能に接続された無線アクセスポイント２０５ｄと、を備えている。
【０１２３】
無線ネットワークアダプタ３００ｄは、制御部３０１ｄと、記憶部３０２ｄと、ＧＰＳ受信部３０３ｄと、通信部３０４ｄと、インターフェース部３０５ｄ（以下、ＩＦ部）と、を備えている。
【０１２４】
ＩＦ部３０５ｄは、無線ネットワークアダプタ３００ｄを、センサデバイス群２００ｄに、情報の送受信を可能に接続する。ここでは、無線ネットワークアダプタ３００ｄは、センサデバイス群２００ｄとして、温度センサ２３１ｄと、緊急センサ２３２ｄと、人検出センサ２３３ｄと、加速度センサ２３４ｄと、に接続されている。
【０１２５】
制御部３０１ｄは、パケット生成部３１１ｄと、メッセージ生成部３１２ｄと、を有する。
【０１２６】
パケット生成部３１１ｄは、ＩＦ部３０５ｄを介して、各センサデバイスの検出信号を取得する。さらに、検出信号に基づいてパケットデータ４００ｆを生成する。また、ＧＰＳ受信部３０３ｄを介して、現在の位置（緯度、経度）と現在の時刻とを特定するＧＰＳ信号を取得し、無線ネットワークアダプタ３００ｄに備えられる時計（図示しない）を、取得した現在時刻に同期させる。さらに、それに基づいてパケットデータ４００ｅを生成する。そして、メッセージ生成部３１２ｄに対して、パケットデータ４００ｆ、または、パケットデータ４００ｅに基づいて、メッセージ３６０を生成するよう要求する。
【０１２７】
メッセージ生成部３１２ａは、パケット生成部３１１ａの要求を受け付けると、生成されたパケットデータ４００ｆ、または、パケットデータ４００ｅに基づく、メッセージ３６０を生成する。そして、メッセージ３６０を、無線アクセスポイント２０５ｄを経て、ネットワーク１２０を用いて、センターサーバ１１０へと送信する。
【０１２８】
記憶部３０２ｄの設定情報記憶領域３２１ｄには、各センサデバイスに関する情報と、無線ネットワークアダプタ３００ｄに関する情報と、が予め格納されている。前者は、例えば、各センサのノードＩＤ情報、センサ種別を特定する情報、センサメーカ型式を特定する情報等、後者は、例えば、無線ネットワークアダプタ３００ｄを設置した際の位置情報、無線ネットワークアダプタ３００ｄの個体識別子である、ゲートウェイＩＤの情報等である。なお、無線ネットワークアダプタ３００ｄのゲートウェイＩＤは、ＧＷ−ＩＤ＝１２２１が付与されていることとする。
【０１２９】
ＧＰＳ受信部３０３ｄは、衛星からの電波に基づいて現在地を測位し、位置情報を取得する。
【０１３０】
通信部３０４ｄは、無線アクセスポイント２０５ｄと、無線により情報の送受信を行う。
【０１３１】
以下、無線ネットワークアダプタ３００ｄが、各センサデバイスからの検知信号を取得する場合の処理について説明する。ＧＰＳ信号を取得する場合の処理については、ゲートウェイ装置３００ａと同様であるため、説明を省略する。
【０１３２】
パケット生成部３１１ｄは、ＩＦ部３０５ｄを介して、予め定められた周期毎に、各センサデバイスの検出信号を取得する。そして、当該検出信号に基づいて、パケットデータ４００ｆを生成し、メッセージ生成部３１２ｄに対して、パケットデータ４００ｆに基づくメッセージ３６０を生成するよう要求する。なお、各センサデバイスの検出信号の取得処理は、センサデバイスが、予め定められた一定の閾値を超過するような変化を検出した場合にのみ、実行されるような構成としても良い。
【０１３３】
メッセージ生成部３１２ｄは、パケット生成部３１１ｄからの、メッセージ３６０の生成要求を受け付けると、パケットデータ４００ｆに基づくメッセージ３６０を生成する。そして、メッセージ３６０を、無線アクセスポイント２０５ｄを経て、ネットワーク１２０を介して、センターサーバ１１０へと送信する。
【０１３４】
パケットデータ４００ｆと、メッセージ３６０の生成処理については、ゲートウェイ装置３００ａとほぼ同様であるので、詳細な説明は省略する。ただし、無線ネットワークアダプタ３００ｄにおいては、パケットデータ４００ｆは、記憶部３０２ｄに格納されずに、直接メッセージ生成部３１２ｄにリレーされ、メッセージ３６０が生成される。
【０１３５】
なお、このような無線ネットワークアダプタ３００ｄは、例えば、図２０に示すようなコンピュータ７００により制御することで実現可能である。制御部３０１ｄは、補助記憶装置７０３に記憶されている所定のプログラムを、メインメモリ７０２に読み込みＣＰＵ７０１で実行可能であり、通信部３０４ｄは、ＮＩＣ７０４により実現可能である。
【０１３６】
次に、センターサーバ１１０について説明する。図１２は、センターサーバ１１０の、概略図である。
【０１３７】
センターサーバ１１０は、制御部１０１と、記憶部１０２と、通信部１０４と、入力部１０５と、表示部１０６と、を備えている。
【０１３８】
記憶部１０２は、ゲートウェイ情報記憶領域１１１と、センサ情報記憶領域１１２と、誤差情報記憶領域１１３と、ＩＤ情報記憶領域１１４と、を備える。
【０１３９】
ゲートウェイ情報記憶領域１１１には、各ゲートウェイ装置３００から送信された、パケット型がタイプ１のメッセージ３６０より取得した情報が格納されている。これらは、例えば、図１３に示すようなに示すような、ゲートウェイ情報テーブル１１１ａに記憶される。
【０１４０】
ゲートウェイ情報テーブル１１１ａは、図示するように、ＧＷ−ＩＤ欄１１１ｂと、ＳＳ−ＩＤ欄１１１ｃと、位置情報（緯度）欄１１１ｄと、位置情報（経度）欄１１１ｅと、を備える。
【０１４１】
センサ情報記憶領域１１２には、各ゲートウェイ装置３００から送信された、パケット型がタイプ２のメッセージ３６０より取得した情報が格納されている。これらは、例えば、図１４に示されるような、センサ情報テーブル１１２ａに記憶される。
【０１４２】
センサ情報テーブル１１２ａは、図示するように、時刻欄１１２ｂと、ＳＳ−ＩＤ欄１１２ｃと、Ｎｏｄｅ−ＩＤ欄１１２ｄと、センサ種別欄１１２ｅと、メーカ型式欄１１２ｆと、センサ状態欄１１２ｇと、を備える。
【０１４３】
誤差情報記憶領域１１３には、各サブシステムの有するセンサ装置２００に関する情報が、記憶されている。例えば、図１５に示すような、誤差情報テーブル１１３ａが格納される。なお、これらの情報は、入力部１０５と、表示部１０６を介して、予め入力され、誤差情報テーブル１１３ａに格納される。
【０１４４】
誤差情報テーブル１１３ａは、ＳＳ−ＩＤ欄１１３ｂと、センサ種別欄１１３ｃと、メーカ型式欄１１３ｄと、誤差欄１１３ｅと、条件式欄１１３ｇと、を備える。
ＳＳ−ＩＤ欄１１３ｂは、各サブシステム１４０の識別子であるサブシステムＩＤが格納されている。
１１３ｃ  メーカ型式欄１１３ｄには、各センサ装置２００の性能（構造）により分類されたメーカ型式を特定する情報が格納されている。
【０１４５】
誤差欄１１３ｅには、該センサ装置において生ずる誤差範囲が格納されている。
【０１４６】
条件式欄１１３ｇには、誤差欄１１３ｅに示される誤差範囲が保証される条件を特定する情報が記憶されている。
【０１４７】
ＩＤ情報記憶領域１１４には、サブシステムＩＤと、ゲートウェイ装置３００の個体識別子であるゲートウェイＩＤと、センサ装置２００の個体識別子であるノードＩＤと、を特定する情報がそれぞれ対応付けられて格納されている。
【０１４８】
さらに、記憶部１０２には、センサ装置２００のうち、緊急センサとして機能するものについては、緊急状態を検知した際に、それを知らせるメールを送信するためのユーザ情報、例えば、少なくとも、ユーザの指定するメールアドレスが、それぞれのノードＩＤに対応付けられて、格納されている。なお、これらの情報についても、入力部１０５と、表示部１０６を介して、予め入力され、ＩＤ情報記憶領域１１４に格納される。
【０１４９】
制御部１０１は、メッセージ受信部１１５と、情報管理部１１６と、情報提供部１１７と、を備えている。
【０１５０】
メッセージ受信部１１５は、ゲートウェイ装置３００から送信される、メッセージ３６０を受信する。情報管理部１１６は、メッセージ３６０に含まれるパケットデータ４００のパケット数と、パケット型と、を検出する。
【０１５１】
また、メッセージ受信部１１５は、その検出結果によって、当該パケットデータ４００を、記憶部１０２のテーブルに格納するか、あるいは、情報提供部１１７に対して、ユーザ端末１３０へメール送信を要求するか、を判断する。
【０１５２】
情報提供部１１７は、メッセージ受信毎や、予め定められた周期毎に、または、Ｗｅｂサーバ１５０からの要求により、センサ情報テーブル１１２ａと、誤差情報テーブル１１３ａと、に格納される情報を、ネットワーク１２０を介して、Ｗｅｂサーバ１５０へ送信する。
【０１５３】
また、情報提供部１１７は、情報管理部１１６において緊急性を要するメッセージ３６０を受信したことを判断された場合には、ユーザにその旨を報告するメールを生成して、送信する。
【０１５４】
通信部１０４は、センターサーバ１１０をネットワーク１２０に、情報の送受信が可能に接続する。
【０１５５】
入力部１０５は、キーボードやマウスといった入力装置である。
【０１５６】
表示部１０６は、ディスプレイなどの表示装置である。
【０１５７】
センターサーバ１１０のメッセージ受信部１１５が、メッセージ３６０を受信する際の処理について、図１６（センターサーバ１１０がメッセージ３６０を受信する際の処理を示すフローチャート）と、図１９（Ｓ２００２）を参照して、説明する。
【０１５８】
まず、メッセージ受信部１１５は、ゲートウェイ装置３００から送信されたメッセージ３６０を、ネットワーク１２０を介して受信する（Ｓ１１１１）。
【０１５９】
次に、情報管理部１１６は、受信したメッセージ３６０のパケット数格納領域３９１に格納される情報から、メッセージ３６０に含まれる連続するパケットデータ４００の数が、１か、２以上かを判断する（Ｓ１１１２）。１より大きければステップ１１１３へ進み、１であればステップ１１１４へ進む。
【０１６０】
情報管理部１１６は、メッセージ３６０に含まれるパケットデータ４００の数が１よりも大きいと判断した場合、連続するパケットデータ４００を、１つごとに分割する（Ｓ１１１３）。なお、このようなパケットデータ４００に該当するのは、例えば、センサ装置２００ａの検知信号に基づいて生成された、または、携帯電話端末２００ｂや、ＰＨＳ端末２００ｃのＧＰＳ信号に基づいて生成されたパケットデータ群である。
【０１６１】
情報管理部１１６は、メッセージ３６０に含まれるパケットデータ４００の数が１であると判断したか、または、ステップ１１１３で、パケットデータ４００の１つごとに分割した後、パケット型格納領域３９２に格納される情報から、パケット型を判断する。パケット型がタイプ１であった場合には、ステップ１１１５へ、パケット型がタイプ２であった場合には、ステップ１１１６へ、パケット型がタイプ３であった場合には、ステップ１１１７へ進む。
【０１６２】
情報管理部１１６は、パケットデータ４００のパケット型がタイプ１、すなわち、ゲートウェイ装置３００のＧＰＳ情報に関するものであった場合、パケットデータ４００に格納される情報に基づいて、ゲートウェイ情報テーブル１１１ａを更新する（Ｓ１１１５）。
【０１６３】
ステップ１１１５において、パケットデータ４００が、図７（ａ）に示すような、パケットデータ４００ｅであった場合について、説明する。ステップ１１１５では、情報管理部１１６は、まず、パケットデータ４００ｅのＧＷ−ＩＤ格納領域４０２ｅから、ゲートウェイＩＤを、センサ状態格納領域４０５ｅから、ゲートウェイ装置３００の位置情報（緯度、経度）を取得して、ゲートウェイ情報テーブル１１１ａの、ＧＷ−ＩＤ欄１１１ｂと、位置情報（緯度）欄１１１ｄと、位置情報（経度）欄１１１ｅと、にそれぞれ格納する。次に、ＩＤ情報記憶領域１１４から、当該ゲートウェイＩＤに対応する、サブシステムＩＤを取得して、ＳＳ−ＩＤ欄１１１ｃに格納し、処理を終了する。
【０１６４】
情報管理部１１６は、パケットデータ４００のパケット型がタイプ２、すなわち、緊急センサ以外からのセンサの検知情報に関するものであった場合、パケットデータ４００に格納される各々の情報を、センサ情報テーブル１１２ａの対応する欄に格納することで、センサ情報テーブル１１２ａを更新する（Ｓ１１１６）。
【０１６５】
ステップ１１１６において、パケットデータ４００が、図７（ｂ）に示すような、パケットデータ４００ｆであった場合について、説明する。ステップ１１１６では、情報管理部１１６は、まず、パケットデータ４００ｆの、時刻格納領域４０１ｆと、Ｎｏｄｅ−ＩＤ格納領域４０２ｆと、センサ種別格納領域４０３ｆと、メーカ型式格納領域４０４ｆと、センサ状態格納領域４０５ｆと、に格納される情報をそれぞれ取得して、センサ情報テーブル１１２ａの、時刻欄１１２ｂと、Ｎｏｄｅ−ＩＤ欄１１２ｄと、センサ種別欄１１２ｅと、メーカ型式欄１１２ｆと、センサ状態欄１１２ｇと、にそれぞれ格納する。さらに、ＩＤ情報記憶領域１１４から、当該ノードＩＤに対応する、サブシステムＩＤを取得し、ＳＳ−ＩＤ欄１１２ｃに格納して、処理を終了する。
【０１６６】
情報管理部１１６は、パケットデータ４００のパケット型がタイプ３、すなわち、緊急センサからの検知情報に関するものであった場合、パケットデータ４００に格納される情報に基づいたメールの生成を、情報提供部１１７に要求する。情報提供部１１７は、要求を受け付けると、メールを生成して、ユーザ端末１３０に送信する（Ｓ１１１７）。
【０１６７】
ステップ１１１７において、パケットデータ４００が、図７（ｃ）に示すような、パケットデータ４００ｆであった場合には、ステップ１１１７において、情報管理部１１６は、ユーザにセンサが緊急状態を示すことを報告するメールの生成を、情報提供部１１７に対して要求する。
【０１６８】
情報提供部１１７は、メールの生成要求を受け付けると、パケットデータ４００ｆの、Ｎｏｄｅ−ＩＤ格納領域４０２ｆから、ノードＩＤを取得する。次に、ＩＤ情報記憶領域１１４から、当該ノードＩＤに基づいて、メール送信先となるユーザのメールアドレスを特定する情報を取得して、センサが緊急状態を示すことを報告するメールを生成して送信し、処理を終了する。
【０１６９】
情報提供部１１７が、Ｗｅｂサーバ１５０からデータを要求された際の処理について、図１９（Ｓ２００３）を参照して、説明する。
【０１７０】
情報提供部１１７は、後述するＷｅｂサーバ１５０から、ユーザが閲覧を希望するセンサに対する情報の送信の要求を受け付けると、まず、受け付けた要求に含まれている、当該センサのサブシステムＩＤと、ノードＩＤと、を当該要求より取得する。そして、ＩＤ情報記憶領域１１４から、当該センサのサブシステムＩＤと、ノードＩＤと、に対応する、ゲートウェイＩＤ情報を取得する。
【０１７１】
次に、情報提供部１１７は、ゲートウェイ情報記憶領域１１１の、ゲートウェイ情報テーブル１１１ａから、当該センサのサブシステムＩＤと、ノードＩＤと、が一致する情報を検索し、予め設定した、後述する表示設定情報に基づいて、Ｗｅｂサーバ１５０が要求するデータを選択し、取得する。
【０１７２】
さらに、情報提供部１１７は、センサ情報記憶領域１１２の、センサ情報テーブル１１２ａから、サブシステムＩＤと、ノードＩＤと、が一致する情報を検索し、Ｗｅｂサーバ１５０が要求するデータを選択して、取得する。
【０１７３】
ここで、情報提供部１１７は、センサ情報テーブル１１２ａの、ＳＳ−ＩＤ欄１１２ｃと、メーカ型式欄１１２ｆに格納される情報を用いて、誤差情報テーブル１１３ａを検索し、同種のセンサについての誤差情報を取得する。誤差情報テーブル１１３ａにおいて同種のセンサが検出されると、センサ情報テーブル１１２ａのセンサ状態欄１１２ｇから取得した、センサの検出値に適合する条件式を、誤差情報テーブル１１３ａの条件式欄１１３ｇから検索する。
【０１７４】
センサの検出値に適合する条件式を検出すると、情報提供部１１７は、当該条件式に対応する誤差を、誤差欄１１３ｅから取得する。最後に、取得したそれらの値を、ネットワーク１２０を介して、Ｗｅｂサーバ１５０へ送信する。
【０１７５】
なお、Ｗｅｂサーバ１５０から、誤差値を、センサ値に含めるような要求があるときには、センサ状態欄１１２ｇの値を、誤差欄１１３ｅの値で補正（加算または減算）して、誤差を考慮した値の最大値と最小値を特定した数値範囲を算出し、Ｗｅｂサーバ１５０へ送信するようにしてもよい。
【０１７６】
なお、このようなセンターサーバ１１０は、例えば、図２０に示すようなコンピュータ７００により制御することで実現可能である。制御部１０１は、補助記憶装置７０３に記憶されている所定のプログラムを、メインメモリ７０２に読み込みＣＰＵ７０１で実行することにより実現可能であり、通信部１０４は、ＮＩＣ７０４により実現可能である。
【０１７７】
図１に戻って、Ｗｅｂサーバ１５０について説明する。
【０１７８】
Ｗｅｂサーバ１５０は、制御部１５１と、記憶部１５２と、通信部１５４と、を備えている。
【０１７９】
記憶部１５２は、ユーザ情報記憶領域１５７を備えている。ユーザ情報記憶領域１５７には、ユーザ情報、例えば、ユーザのログイン名、パスワード等のログイン情報と、表示設定情報と、が少なくとも格納されている。
【０１８０】
表示設定情報としては、例えば、各々のユーザ毎にユーザが希望する表示内容、具体的には、表示するセンサのノードＩＤや、当該センサの属するサブシステムＩＤ、センサ情報の表示件数、検出時刻等を特定するための情報が格納される。
【０１８１】
制御部１５１は、ユーザ情報管理部１５８と、表示画面生成部１５９と、を備えている。ユーザ情報管理部１５８は、後述するユーザ端末１３０の入力部１３６と、表示部１３５とから入力されたユーザ情報を、ネットワーク１２０を介して受け付けて、ユーザ情報記憶領域１５６に格納する。
【０１８２】
表示画面生成部１５９は、ユーザ情報記憶領域１５７に記憶される表示設定情報から、表示画面８００を生成するために必要なデータを判断し、センターサーバ１１０に対して、当該データを要求する。そして、センターサーバ１１０の応答により、送信された当該データを取得すると、ユーザ端末１３０の備える表示部１３５のＷｅｂブラウザで表示可能な、図１７に示すような表示画面８００を生成し、ネットワーク１２０を介して、ユーザ端末１３０へ送信する。
【０１８３】
通信部１５４は、ネットワーク１２０を介して情報の送受信を行う。
【０１８４】
なお、このようなＷｅｂサーバ１５０は、例えば、図２０に示すようなコンピュータ７００により制御することで実現可能である。制御部１５１は、補助記憶装置７０３に記憶されている所定のプログラムを、メインメモリ７０２に読み込みＣＰＵ７０１で実行することで実現可能であり、通信部１５４は、ＮＩＣ７０４により実現可能である。
【０１８５】
制御部１５１の実行する処理について、具体的に説明する。
【０１８６】
ユーザ情報管理部１５８は、ユーザ端末１３０からログイン情報が送信されてきた場合に、このログイン情報に含まれている、ログイン名と、パスワー部１５９は、ログイン情報に基づいて、ユーザ情報記憶領域１５６から、ユーザが予め設定した、表示設定情報を取得する。この情報から、表示画面８００の生成に必
要なデータを解析する。そして、センサ情報の取得を希望するセンサのＮｏｄｅ−ＩＤと、センサが属するＳＳ−ＩＤドとが、ユーザ情報記憶領域１５６に登録されているか否かを判断し、登録されている場合には、ユーザ端末１３０に成功応答を送信し、登録されていない場合には、ユーザ端末１３０に失敗応答を送信する。  
【０１８７】
ユーザがログインに成功した場合には、表示画面生成と、含み、当該センサに関する必要なデータの送信を要求する、リクエスト情報を、センターサーバ１１０に送信する。
【０１８８】
次に、表示画面生成部１５９は、センターサーバ１１０の応答によって送信された、表示画面８００の生成に必要なデータを、ネットワーク１２０を介して受信すると、図１８に示すような、表示画面８００を生成する。
【０１８９】
以下、表示画面８００について説明する。
【０１９０】
表示画面８００は、ユーザ端末１３０の表示部１３５において、Ｗｅｂブラウザによって表示可能に生成されている。表示画面８００は、センサに関する情報を一覧表示する、データ表９００と、データ表９００を更新する更新ボタン８０１と、データ表９００の位置情報と、センサ情報と、に誤差情報を考慮した値を表示するための、誤差ボタン８０２と、を表示する。
【０１９１】
データ表９００には、ユーザが閲覧を希望するセンサについての、センサ情報が一覧表示される。データ表９００は、センサ情報が取得された時刻を表示する時刻欄９０１と、各センサの位置を表示する位置情報欄９０２と、位置情報の誤差を表示する、位置誤差欄９０３と、センサの検知情報を表示する、センサ情報欄９０４と、センサ情報の誤差を表示する、センサ誤差欄９０５を備えている。これらに格納される情報は、センターサーバ１１０の情報提供部１１７によって、各テーブルから取得され、送信される。
【０１９２】
ユーザ端末１３０の入力部１３６を介して、利用者が表示画面８００の更新ボタン８０１を押下すると、データ表９００は、表示設定情報に基づいて、表示画面生成部１５９により、最新のものに更新される。
【０１９３】
ユーザ端末１３０の入力部１３６を介して、利用者が表示画面８００の誤差ボタン８０３を押下すると、表示画面８００に表示されるデータ表９００は、図１８に示すような、データ表９１０に変更される。データ表９１０は、センサ情報が取得された時刻を表示する時刻欄９１０と、各センサの位置を表示する位置情報に、位置情報の誤差を加えて表示する、位置情報欄９１２と、センサの検知情報に、各センサに基づいた誤差を加えて表示する、センサ情報欄９１３と、を備える。
【０１９４】
すなわち、誤差ボタン８０３を押下されると、表示画面生成部１５９は、データ表９１０を生成するために必要なデータを、センサ情報の取得を希望するセンサのＮｏｄｅ−ＩＤと、センサが属するＳＳ−ＩＤと、含み、当該センサに関する必要なデータの送信を要求する、リクエスト情報を、センターサーバ１１０に送信する。
【０１９５】
もちろん、表示画面８００は、上述のものに限られない。例えば、利用者がユーザ情報を変更可能な設定変更手段を、さらに設けることも出来る。具体的には、ログイン情報や表示設定情報を、表示画面８００上で変更でき、表示画面生成部１５９はそれを反映して、表示画面８００を更新するような構成としても良い。
【０１９６】
図１に戻って、ユーザ端末１３０について説明する。
【０１９７】
ユーザ端末１３０は、制御部１３１と、記憶部１３２と、通信部１３４と、入力部１３６と、表示部１３５と、を備えている。
【０１９８】
制御部１３１は、ユーザ端末１３０に予め備えられる、アドレス或いはＵＲＬを読込み、アクセスするためのＷｅｂブラウザを実行する。そして、Ｗｅｂブラウザ上に、ネットワーク１２０を介して、Ｗｅｂサーバ１５０より送信される表示画面８００を表示する。また、表示画面８００上で、ユーザ端末１３０の備える、入力部１３６及び表示部１３５を介して、利用者からの入力情報を、通信部１３４から、ネットワーク１２０を介して、Ｗｅｂサーバ１５０に送信する。具体的には、利用者からログイン名とパスワード等の、ユーザを特定するログイン情報の入力や、ボタンの押下操作を受け付けて、ネットワーク１２０を介して、Ｗｅｂサーバ１５０に送信する。
【０１９９】
記憶部１３２は、Ｗｅｂサーバ１５０と情報を送受信するために必要なデータと、所定のプログラムと、を記憶する。
【０２００】
通信部１３４は、ネットワーク１２０を介して情報の送受信を行う。入力部１３６は、キーボードやマウスといった入力装置である。表示部１３５は、ディスプレイなどの表示装置である。
【０２０１】
なお、このようなユーザ端末１３０は、例えば、図２０に示すようなコンピュータ７００により制御することで実現可能である。制御部１３１は、補助記憶装置７０３に記憶されている所定のプログラムを、メインメモリ７０２に読み込みＣＰＵ７０１で実行することにより実現可能であり、通信部１３４は、ＮＩＣ７０４により実現可能である。
【０２０２】
以上のような構成により、本発明においては、各センサの検出情報と共に、センサごとの性能による誤差情報を提示することによって、ユーザは、センサの検出情報の誤差を考慮することができる。
【０２０３】
また、複数のセンサについての情報を、Ｗｅｂブラウザ上で同時に表示可能であり、多人数で情報を共有することも可能である。
【０２０４】
さらに、緊急センサに設定したセンサが以上を検出した場合には、緊急メールによってユーザに報告されるため、ユーザはいち早くその情報を取得することができる。
【図面の簡単な説明】
【０２０５】
【図１】情報提供システム１００の概略図。
【図２】サブシステム１４０ａの概略図。
【図３】（a）サブシステム１４０ａにおける、検知情報２６０ａの概略図。（ｂ）サブシステム１４０ｂにおける、信号情報２６０ｂの概略図。（ｃ）サブシステム１４０ｄにおける、検知情報２６０ｄの概略図。
【図４】ゲートウェイ装置３００ａにおいて、ＧＰＳ信号からメッセージを生成する際の処理を示すフローチャート。
【図５】メッセージ３６０の概略図。
【図６】メッセージ３６０のコンテント部の概略図。
【図７】メッセージ３６０の、データ部の概略図。
【図８】ゲートウェイ装置３００ａにおいて、各センサからの検知情報２６０ａからメッセージ３６０を生成する際の処理を示すフローチャート。
【図９】サブシステム１４０ｂの概略図。
【図１０】サブシステム１４０ｃの概略図。
【図１１】サブシステム１４０ｄの概略図。
【図１２】センターサーバ１１０の概略図。
【図１３】ゲートウェイ情報テーブルの概略図。
【図１４】センサ情報テーブルの概略図。
【図１５】誤差情報テーブルの概略図。
【図１６】センターサーバ１１０がメッセージ３６０を受信する際の処理を示すフローチャート。
【図１７】データ表９００を表示する表示画面８００の概略図。
【図１８】データ表９１０を表示する表示画面８００の概略図。
【図１９】機器間の処理を示した説明図。
【図２０】コンピュータの概略図。
【符号の説明】
【０２０６】
１００  情報提供システム
１１０  センターサーバ
１２０  ネットワーク
１３０  ユーザ端末
１４０ａ、１４０ｂ、１４０ｃ、１４０ｄ  サブシステム
１５０  Ｗｅｂサーバ
２００  センサ装置
３００  ゲートウェイ装置
２６０  メッセージ
４００  パケットデータ
１１１ａ  ゲートウェイ情報テーブル
１１２ａ  センサ情報テーブル
１１３ａ  誤差情報テーブル
【図１】
0004956388.tif 000002
【図２】
0004956388.tif 000003
【図３】
0004956388.tif 000004
【図４】
0004956388.tif 000005
【図５】
0004956388.tif 000006
【図６】
0004956388.tif 000007
【図７】
0004956388.tif 000008
【図８】
0004956388.tif 000009
【図９】
0004956388.tif 000010
【図１０】
0004956388.tif 000011
【図１１】
0004956388.tif 000012
【図１２】
0004956388.tif 000013
【図１３】
0004956388.tif 000014
【図１４】
0004956388.tif 000015
【図１５】
0004956388.tif 000016
【図１６】
0004956388.tif 000017
【図１７】
0004956388.tif 000018
【図１８】
0004956388.tif 000019
【図１９】
0004956388.tif 000020
【図２０】
0004956388.tif 000021